(57)【要約】【課題】遊技領域を露出したとしても、遊技領域からこぼれ落ちた遊技球が下方の画像表示装置の表示部に衝突することを防ぐことができ、画像表示装置が損傷する不都合を抑えることができる遊技機を提供する。【解決手段】前面枠３には、遊技領域６を前方から被覆可能な内側開閉枠９を開閉可能な状態で軸着するとともに、該内側開閉枠９を前方から被覆可能な外側開閉枠１０とを開閉可能な状態で軸着し、内側開閉枠９は、遊技領域６を透視可能な状態で遊技盤５を前方から被覆する内側透明部材５１を保持し、外側開閉枠１０は、内側透明部材５１を介して遊技領域６を透視可能な状態で内側開閉枠９を前方から被覆する外側透明部材５８を保持し、内側開閉枠９の開閉中心となる内側回動軸ＬＡを遊技盤５と画像表示装置８の間に配置し、内側開閉枠９を開くと、内側開閉枠９の上端部を下端部よりも前方に移動する。【選択図】図３
2008206813.tif 000002
【特許請求の範囲】
【請求項１】
前面枠と、該前面枠に収納され、前面に遊技領域が区画形成された遊技盤と、該遊技盤の下方に配置された画像表示装置と、を備え、該画像表示装置には、遊技盤で実行される遊技に関わる画像を表示可能な表示部を前方へ下り傾斜した状態で配置した遊技機であって、
前記前面枠には、遊技領域を前方から被覆可能な内側開閉枠を開閉可能な状態で軸着するとともに、該内側開閉枠を前方から被覆可能な外側開閉枠とを開閉可能な状態で軸着し、
前記内側開閉枠は、遊技領域を透視可能な状態で遊技盤を前方から被覆する内側透明部材を保持し、
前記外側開閉枠は、内側透明部材を介して遊技領域を透視可能な状態で内側開閉枠を前方から被覆する外側透明部材を保持し、
前記内側開閉枠の開閉中心となる内側回動軸を遊技盤と画像表示装置の間に配置し、内側開閉枠を開くと、内側開閉枠の上端部を下端部よりも前方に移動することを特徴とする遊技機。
【請求項２】
前記遊技盤は、遊技領域の下端部に遊技球を遊技領域外へ排出するためのアウト口を備え、
前記内側開閉枠は、開状態において遊技球をアウト口へ誘導可能な球誘導部を備えたことを特徴とする請求項１に記載の遊技機。
【請求項３】
前記内側開閉枠の球誘導部をアウト口へ向けて下り傾斜した姿勢に維持する姿勢維持部を備えたことを特徴とする請求項２に記載の遊技機。
【請求項４】
前記画像表示装置は、表示部の傾斜上端を遊技領域の下端部に隣接する状態で前面枠に配置されたことを特徴とする請求項１から請求項３のいずれかに記載の遊技機。
【請求項５】
前記外側開閉枠は、内側回動軸とは異なる外側回動軸を中心に、内側開閉枠とは異なる回動方向へ回動して開閉可能であることを特徴とする請求項１から請求項４のいずれかに記載の遊技機。
【発明の詳細な説明】
【技術分野】
【０００１】
本発明は、前面枠と、該前面枠に収納され、前面に遊技領域が区画形成された遊技盤と、該遊技盤の下方に配置された画像表示装置とを備えたパチンコ遊技機等の遊技機に関する。
【背景技術】
【０００２】
従来の遊技機、例えば、パチンコ遊技機においては、前面に遊技領域が区画形成された遊技盤を前面枠へ収納し、該前面枠の前面側には、ガラス板等の透明部材が収納（保持）された開閉枠を配置して遊技盤を被覆し、透明部材を通して遊技領域を前方から透視できるように構成されている。また、開閉枠の一側を前面枠に軸着して左右方向に開閉可能とし、開閉枠の他側には施錠機構を設け、開閉枠を閉状態でロックできるように構成されている。そして、遊技盤および開閉枠の下方に画像表示装置を配置し、遊技盤で行われる遊技に関連した各種画像を画像表示装置に表示するパチンコ遊技機が提案されている（例えば、特許文献１参照）。
【特許文献１】特開２００５−１３１１７５号公報
【発明の開示】
【発明が解決しようとする課題】
【０００３】
ところで、上記特許文献１に記載のパチンコ遊技機においては、画像表示装置の表示部（例えば液晶パネル）を前方へ下り傾斜した状態で配置し、表示部の表示画面を前側上方へ向けて遊技者が画像を観賞し易いように構成されている。しかしながら、開閉枠を開いて遊技領域を露出した場合、例えば、遊技領域を流下する遊技球が役物や障害釘等に引っ掛かって所謂球詰まりが発生し、この球詰まりを解消するために遊技領域を露出した場合、遊技領域から遊技球が落下すると、下方の表示部へ衝突してしまう虞、ひいては画像表示装置を損傷する虞がある。
【０００４】
そこで、本発明は、上記の事情に鑑みてなされたものであり、その目的は、遊技領域を露出したとしても、遊技領域からこぼれ落ちた遊技球が下方の画像表示装置の表示部に衝突することを防ぐことができ、画像表示装置が損傷する不都合を抑えることができる遊技機を提供しようとするものである。
【課題を解決するための手段】
【０００５】
本発明は、上記目的を達成するために提案されたものであり、請求項１に記載のものは、前面枠と、該前面枠に収納され、前面に遊技領域が区画形成された遊技盤と、該遊技盤の下方に配置された画像表示装置と、を備え、該画像表示装置には、遊技盤で実行される遊技に関わる画像を表示可能な表示部を前方へ下り傾斜した状態で配置した遊技機であって、
前記前面枠には、遊技領域を前方から被覆可能な内側開閉枠を開閉可能な状態で軸着するとともに、該内側開閉枠を前方から被覆可能な外側開閉枠とを開閉可能な状態で軸着し、
前記内側開閉枠は、遊技領域を透視可能な状態で遊技盤を前方から被覆する内側透明部材を保持し、
前記外側開閉枠は、内側透明部材を介して遊技領域を透視可能な状態で内側開閉枠を前方から被覆する外側透明部材を保持し、
前記内側開閉枠の開閉中心となる内側回動軸を遊技盤と画像表示装置の間に配置し、内側開閉枠を開くと、内側開閉枠の上端部を下端部よりも前方に移動することを特徴とする遊技機である。
【０００６】
請求項２に記載のものは、前記遊技盤は、遊技領域の下端部に遊技球を遊技領域外へ排出するためのアウト口を備え、
前記内側開閉枠は、開状態において遊技球をアウト口へ誘導可能な球誘導部を備えたことを特徴とする請求項１に記載の遊技機である。
【０００７】
請求項３に記載のものは、前記内側開閉枠の球誘導部をアウト口へ向けて下り傾斜した姿勢に維持する姿勢維持部を備えたことを特徴とする請求項２に記載の遊技機である。
【０００８】
請求項４に記載のものは、前記画像表示装置は、表示部の傾斜上端を遊技領域の下端部に隣接する状態で前面枠に配置されたことを特徴とする請求項１から請求項３のいずれかに記載の遊技機である。
【０００９】
請求項５に記載のものは、前記外側開閉枠は、内側回動軸とは異なる外側回動軸を中心に、内側開閉枠とは異なる回動方向へ回動して開閉可能であることを特徴とする請求項１から請求項４のいずれかに記載の遊技機である。
【発明の効果】
【００１０】
本発明によれば、以下のような優れた効果を奏する。
請求項１に記載の発明によれば、前面枠には、遊技領域を前方から被覆可能な内側開閉枠を開閉可能な状態で軸着するとともに、該内側開閉枠を前方から被覆可能な外側開閉枠とを開閉可能な状態で軸着し、内側開閉枠は、遊技領域を透視可能な状態で遊技盤を前方から被覆する内側透明部材を保持し、外側開閉枠は、内側透明部材を介して遊技領域を透視可能な状態で内側開閉枠を前方から被覆する外側透明部材を保持し、内側開閉枠の開閉中心となる内側回動軸を遊技盤と画像表示装置の間に配置し、内側開閉枠を開くと、内側開閉枠の上端部を下端部よりも前方に移動するので、開放状態の内側開閉枠が表示部を上方から保護する庇部として機能することができる。したがって、内側開閉枠を開放して遊技領域を露出したとしても、遊技領域からこぼれ落ちた遊技球が表示部に衝突することを防ぐことができ、画像表示装置が損傷する不都合を抑えることができる。
【００１１】
請求項２に記載の発明によれば、遊技盤は、遊技領域の下端部に遊技球を遊技領域外へ排出するためのアウト口を備え、内側開閉枠は、開状態において遊技球をアウト口へ誘導可能な球誘導部を備えたので、開放状態の内側開閉枠の上に落下した遊技球をアウト口へ回収することができる。したがって、遊技領域からこぼれ落ちた遊技球が散乱する不都合をなくすことができる。
【００１２】
請求項３に記載の発明によれば、内側開閉枠の球誘導部をアウト口へ向けて下り傾斜した姿勢に維持する姿勢維持部を備えたので、遊技球が上方から落下して内側開閉枠へ衝突したとしても、内側開閉枠により遊技球をアウト口へ回収する機能を維持することができる。さらに、内側開閉枠が開き過ぎて表示部に衝突する不具合、ひいては表示部が損傷する不具合をなくすことができる。
【００１３】
請求項４に記載の発明によれば、画像表示装置は、表示部の傾斜上端を遊技領域の下端部に隣接する状態で前面枠に配置されたので、遊技者に対して遊技領域と表示部とが一体であるかのような印象を与えることができる。したがって、遊技盤と画像表示装置を別個に配置したとしても、遊技領域で行なわれる遊技と表示部で表示される画像とが別個の遊技を行っていると誤認され難くすることができ、一体感のある遊技の実行を実現することができる。
【００１４】
請求項５に記載の発明によれば、外側開閉枠は、内側回動軸とは異なる外側回動軸を中心に、内側開閉枠とは異なる回動方向へ回動して開閉可能であるので、外側開閉枠を十分に開かなければ内側開閉枠を開けないように設定することができる。したがって、不正目的で遊技領域を露出しようとする不正行為を目立たせることができ、不正行為の摘発や防止を促進することができる。
【発明を実施するための最良の形態】
【００１５】
以下、代表的な遊技機であるパチンコ遊技機を例に挙げて本発明の実施の最良の形態を図面に基づき説明する。図１はパチンコ遊技機の斜視図、図２は前面側を開放した状態のパチンコ遊技機の斜視図、図３は遊技領域を露出した状態のパチンコ遊技機の斜視図である。
パチンコ遊技機１は、図１から図３に示すように、外枠（機枠あるいは本体枠）２に前面枠（内枠）３を開閉可能に軸着し、この前面枠３のベースとなる略額縁状の前面枠本体４（すなわち前面枠３側）の上部に矩形状の遊技盤５を収納可能とし、該遊技盤５の前面に遊技領域６を区画形成し、遊技盤５の下方には画像表示装置８を配置（収納）している。また、前面枠本体４の前面側には、遊技領域６を前方から被覆可能な内側開閉枠９を上下方向へ開閉可能な状態で軸着するとともに、該内側開閉枠９および画像表示装置８を前方から被覆可能な外側開閉枠１０を左右方向へ開閉可能な状態で軸着し、外側開閉枠１０の下部には、遊技球を貯留可能な球貯留ユニット１３を備えている。さらに、外側開閉枠１０の下方には棚部１５を前面枠本体４の下部から前方へ突設し，該棚部１５の上面を左右方向の中央部が下方へ凹んだ曲面で形成し、この凹み部に外側開閉枠１０の球貯留ユニット１３を収容するように構成されている。そして、棚部１５の前面の一側（図１中、右側）には、発射装置（図示せず）を操作するための発射操作ユニット（発射操作ハンドル）１７を備え、他側（図１中、左側）には、遊技中に遊技者が操作するための遊技演出用ボタン１８を備えている。
【００１６】
前面枠本体４は、大きな矩形状の開口を上寄りに開設した合成樹脂製枠体であり、図２に示すように、開口の上半部分に額縁状の遊技盤収納フレーム２２を備え、該遊技盤収納フレーム２２内に遊技盤５を着脱可能な状態で収納（配置）している。また、遊技盤収納フレーム２２の下方には遊技盤載置部２３（図４参照）を設け、該遊技盤載置部２３に遊技盤５の下端を載置することで遊技盤５の上下方向の位置を規制するように構成されている。そして、前面枠本体４の開口の下半部分であって遊技盤５の下方には表示装置配置部２５を備え、該表示装置配置部２５に画像表示装置８を配置している。
【００１７】
さらに、表示装置配置部２５と棚部１５との間の一側寄り（図２中、左寄り）には、遊技球が１個ずつ通過可能な球送り開口２８を開設し、該球送り開口２８の後方には、球貯留ユニット１３に貯留された遊技球を遊技領域６へ向けて発射可能な発射装置を配置している。そして、発射装置と球送り開口２８とを球送り流路（図示せず）で連通し、球貯留ユニット１３から球送り開口２８に流下してきた遊技球が球送り流路を通過して発射装置へ到達するよう構成されている。また、表示装置配置部２５と棚部１５との間の他側寄り（図２中、右寄り）には球排出口３０を開設し、前面枠本体４の裏側に配置された球タンク３１から球排出装置３２を経て流下する遊技球を球排出口３０から排出できるように構成されている。
【００１８】
遊技盤５は、図３に示すように、当該遊技盤５の前面に領域区画部材３５を止着して略半円形状の遊技領域６を区画形成し、遊技領域６の側方（図３中、左側方）には、発射装置から発射された遊技球を遊技領域６内へ案内するための円弧状の発射流路３６を形成している。そして、遊技領域６の中央部よりも下寄りの位置には、遊技球が入賞可能な入賞装置３８、例えば、画像表示装置８で実行される変動表示ゲームを始動するための始動入賞口や、変動表示ゲームの大当たり時に遊技球が入賞可能となる大入賞口を配置し（図４参照）、遊技領域６の下端部には、入賞せずに遊技領域６を流下してきた遊技球（アウト球）を遊技領域６の外方へ排出するためのアウト口４０を開設している。
【００１９】
また、遊技盤５の裏面側には、遊技盤５よりもひと回り小さい略矩形状の球寄せベース４１を装着し、該球寄せベース４１内に入賞装置３８に入賞した遊技球（セーフ球）やアウト口４０を通過した遊技球（アウト球）を回収するための球寄せ流路４２を形成している。そして、球寄せベース４１の下端部に球寄せ流路４２の下流開口を開設し、該下流開口をフレームボード部２８の裏面側に設けた球回収流路（図示せず）へ連通し、球寄せ流路４２および球回収流路を介して遊技球をパチンコ遊技機１の外部へ流下できるように構成されている。
【００２０】
画像表示装置８は、図４に示すように、液晶表示器からなる表示部４５と、該表示部４５の後方に配置された表示制御装置４６と、表示部４５の左右両側方に配置され、遊技の進行に伴って音を発生して演出を行うスピーカー４７とを備えて構成されている。そして、表示部４５を前方へ下り傾斜した状態で配置するとともに、表示部４５の傾斜上端を遊技領域６（言い換えると遊技盤５と内側開閉枠９との間の空間）の下端部に隣接する状態、具体的には、遊技領域６内に配置された入賞装置３８や遊技領域６を流下する遊技球の直下に配置している。なお、表示部４５では、遊技盤５で実行される遊技に関わる画像、例えば始動入賞口である入賞装置３８への入賞に基づいて実行される変動表示ゲームの画像を表示するように設定されている。
【００２１】
次に、内側開閉枠９および外側開閉枠１０について説明する。
内側開閉枠９は、図３および図４に示すように、遊技盤５（または遊技盤収納フレーム２２）よりも僅かに小さい略蒲鉾形状の内側保持フレーム５０を備え、該内側保持フレーム５０の内側には、遊技領域６よりもひと回り大きなガラス板または透明樹脂板で形成された内側透明部材５１を保持し、該内側透明部材５１により遊技領域６を透視可能な状態で遊技盤５を前方から被覆できるように構成されている。そして、閉状態となる縦向き姿勢（図２参照）において下部となる内側保持フレーム５０の縁部（すなわち内側開閉枠９の下部）には、横長な内側ヒンジ機構５２を配置し、該内側ヒンジ機構５２を介して当該内側開閉枠９を前面枠本体４、具体的には遊技盤載置部２３の前縁部へ軸着し、内側開閉枠９の開閉中心となる内側回動軸ＬＡを遊技盤５と画像表示装置８の間に配置している。
【００２２】
したがって、内側開閉枠９のうち内側透明部材５１を挟んで内側ヒンジ機構５２とは反対側となる端部（図２中、上端部）を内側自由端部９ａとし、該内側自由端部９ａを上下方向へ移動可能としている。さらに、前面枠本体４（前面枠３）に対して横向きの内側回動軸ＬＡを中心にして縦方向（上下方向）へ開閉するように構成されている。具体的には、内側自由端部９ａを遊技盤５の上部の前方に配置して閉状態へ変換し（図２参照）、内側自由端部９ａを下方へ移動して内側ヒンジ機構５２（内側回動軸ＬＡ）よりも前方、言い換えると内側開閉枠９の下端部よりも前方へ配置（移動）して開状態へ変換する（図３および図４参照）。そして、内側開閉枠９の開状態においては、図中に示すように、内側透明部材５１のうち遊技領域６に対向し得る裏面が遊技領域６の下部から前方へ延出した姿勢に設定され、遊技球をアウト口４０へ誘導可能な球誘導部５４として機能する。なお、球誘導部５４の作用については、後で詳細に説明する。
【００２３】
外側開閉枠１０は、開閉枠本体５７と、該開閉枠本体５７に保持された外側透明部材５８と、開閉枠本体５７の下縁部に配置された球貯留ユニット１３とを備えて構成されており、当該外側開閉枠１０の側部（図１中、左側部）を前面枠本体４の一側（図１中、左側）へ軸着している。開閉枠本体５７は、前面枠本体４と略同じ横幅で形成された枠体であり、左右両側部および上部を前方へ膨出し、開閉枠本体５７の中央部には縦向き長円形の開閉枠開口５９を大きく開設し、該開閉枠開口５９の上縁部を内側開閉枠９の上縁部と略同じ大きさの半円形状に設定している。
【００２４】
外側透明部材５８は、開閉枠開口５９を塞ぐ状態で開閉枠本体５７に保持された透明樹脂製の部材であり、内側透明部材５１を介して遊技領域６を透視可能な状態で内側開閉枠９を前方から被覆できるように構成されている。そして、外側透明部材５８の側方および上方には光拡散レンズ６１を外側透明部材５８の外縁部から前後方向（詳しくは前方）へ延在する状態で備え、光拡散レンズ６１の前縁部を開閉枠開口５９の開口縁へ後方から接続して開閉枠開口５９を後方から閉塞している。さらに、外側透明部材５８の下半部分を前方へ大きく突出し、該突出部６２の上面を前方へ下り傾斜した状態、言い換えると遊技者の顔へ対向する状態に形成し、突出部６２の左右両側には、スピーカー４７の発生音を前方へ透過させるための透音孔６３を開設している。また、開閉枠本体５７の側部（図１中、左側部）には縦長な外側ヒンジ機構６５を配置し、該外側ヒンジ機構６５を介して外側開閉枠１０を前面枠本体４の一側（図２中、左側）へ軸着している。
【００２５】
したがって、外側開閉枠１０のうち外側透明部材５８を挟んで外側ヒンジ機構６５とは反対側となる側端部（図１中、右端部）を外側自由端部１０ａとし、該外側自由端部１０ａを左右方向へ移動可能とし、前面枠本体４（前面枠３）に対して一側（左側）に配置した縦向きの外側回動軸ＬＢ、すなわち内側回動軸ＬＡとは異なる外側回動軸ＬＢを中心にして横方向（左右方向）、言い換えると内側開閉枠９とは異なる回動方向へ回動して開閉するように構成されている。具体的には、外側自由端部１０ａを前面枠本体４の他側（図２中、右側）に当接して閉状態へ変換し（図１参照）、外側自由端部１０ａを前面枠本体４から離して外側ヒンジ機構６５（外側回動軸ＬＢ）よりも前方に配置して開状態へ変換する（図２参照）。
【００２６】
なお、球貯留ユニット１３は、図１に示すように、前方へ膨出した球貯留皿７０を備え、該球貯留皿７０の内部を下方へ凹ませて球貯留空間部７１を形成し、該球貯留空間部７１の後部には、球排出口３０に連通可能な排出連通口７２を開設している。さらに、球貯留皿７０の後部には、球貯留空間部７１から下り傾斜した球整列路７３を設け、該球整列路７３の下流部を上流部よりも絞り込んで遊技球が１個ずつ流下可能な流路幅に設定し、球整列路７３内の遊技球を横一列に整列しながら流下させるように構成されている。また、球整列路７３の下流端には、後方へ下り傾斜する球導出路７４を連通し（図２参照）、該球導出路７４の後端部を外側開閉枠１０の後面側に開放している。そして、外側開閉枠１０を閉じると、球導出路７４の後端部と球送り開口２８とを前後に重ねる状態で連通し、球導出路７４、球送り開口２８および球送り流路を介して、球貯留皿７０内の遊技球を発射装置へ供給することができるように構成されている。
【００２７】
さらに、前面枠本体４は、遊技盤載置部２３の前縁部のうち内側ヒンジ機構５２の近傍に姿勢維持部７７を設け、該姿勢維持部７７により内側開閉枠９の姿勢、詳しくは内側透明部材５１の裏面である球誘導部５４をアウト口４０へ向けて下り傾斜した姿勢に維持できるように構成されている。姿勢維持部７７は、図５に示すように、内側ヒンジ機構５２の端部（図５（ａ）中、左端部）および内側保持フレーム５０の側部（図５（ａ）中、左側部）の下方に前方へ突出した状態で配置されている。そして、当該姿勢維持部７７の上面を、開状態の内側保持フレーム５０を当接（載置）可能なフレーム当接部７７ａとし、該フレーム当接部７７ａを後方、具体的には内側ヒンジ機構５２の端部の下方へ向けて下り傾斜した状態に設定している。
【００２８】
このような構成を備えたパチンコ遊技機１において、内側開閉枠９および外側開閉枠１０を閉じると、内側開閉枠９（内側透明部材５１）が遊技領域６を前方から被覆し、外側開閉枠１０（外側透明部材５８）が内側開閉枠９、遊技盤５および画像表示装置８を前方から被覆する。この結果、内側透明部材５１および外側透明部材５８を通して遊技領域６と表示部４５とを上下に並んだ状態で前方から視認できるように設定される。このとき、表示部４５の傾斜上端を遊技領域６の下端部に隣接しているので、遊技者に対して遊技領域６と表示部４５とが一体であるかのような印象を与えることができる。したがって、遊技盤５と画像表示装置８を別個に配置したとしても、遊技領域６で行なわれる遊技と表示部４５で表示される画像とが別個の遊技を行っていると誤認され難くすることができ、一体感のある遊技の実行を実現することができる。
【００２９】
一方、内側開閉枠９および外側開閉枠１０を閉じた状態から遊技領域６を露出するには、まず、外側回動軸ＬＢを中心にして外側開閉枠１０を回動し、外側自由端部１０ａを前面枠本体４から前方へ離して、外側透明部材５８および光拡散レンズ６１が内側開閉枠９の前方から外れるまで開放する（図２参照）。すると、内側開閉枠９が露出し、内側開閉枠９の前方に、内側開閉枠９が下方（言い換えると外側開閉枠１０とは異なる回動方向）へ回動可能となる空間を確保することができる。したがって、外側開閉枠１０を十分に開かなければ内側開閉枠９を開けないように設定することができる。これにより、不正目的で遊技領域６を露出しようとする不正行為を目立たせることができ、不正行為の摘発や防止を促進することができる。
【００３０】
内側開閉枠９を露出したならば、内側回動軸ＬＡを中心にして内側開閉枠９を開き、内側自由端部９ａを遊技盤５の上部から前方へ離す。すると、内側開閉枠９は、表示部４５の上方において、上端部（内側自由端部９ａ）を下端部よりも前方に移動し、後方の遊技盤５、詳しくは遊技領域６のアウト口４０へ向けて下り傾斜した姿勢となる（図３および図４参照）。したがって、開放状態の内側開閉枠９が表示部４５を上方から保護する庇部として機能することができる。この結果、メンテナンス作業などにおいて内側開閉枠９を開放して遊技領域６を露出したとしても、遊技領域６からこぼれ落ちた遊技球が表示部４５に衝突することを防ぐことができ、画像表示装置８が損傷する不都合を抑えることができる。
【００３１】
さらに、内側開閉枠９は、図５（ｂ）に示すように、内側保持フレーム５０の側部を姿勢維持部７７のフレーム当接部７７ａへ当接し、横向き倒伏状態の内側透明部材５１のうち上方を向いた面、言い換えると遊技領域６からこぼれ落ちた遊技球を転動可能な球誘導部５４をアウト口４０へ下り傾斜した姿勢に維持される。したがって、開放状態の内側開閉枠９の上に落下した遊技球をアウト口４０へ回収することができる。このことから、遊技領域６からこぼれ落ちた遊技球が散乱する不都合をなくすことができる。また、遊技球が上方から落下して内側開閉枠９へ衝突したとしても、内側開閉枠９により遊技球をアウト口４０へ回収する機能を維持することができる。さらに、内側開閉枠９が開き過ぎて表示部４５に衝突する不具合、ひいては表示部４５が損傷する不具合をなくすことができる。
【００３２】
ところで、上記実施形態では、内側透明部材５１の一部、詳しくは内側開閉枠９の開状態において遊技領域６の下方に臨ませた面（遊技領域６に対向し得る面）を球誘導部５４としたが、本発明はこれに限定されない。要は、開状態の内側開閉枠９上に落下してきた遊技球をアウト口４０へ誘導可能な球誘導部であれば、どのようなものでもよい。例えば、透明な部材で浅い溝状の球誘導部を構成し、この球誘導部を内側開閉枠９のうち遊技領域６に対向し得る面に配置し、内側開閉枠９を開いた状態で球誘導部をアウト口４０へ向けて下り傾斜するように設定してもよい。
【００３３】
さらに、球誘導部により誘導される遊技球は、アウト口４０に回収されることに限定されない。例えば、開状態の内側開閉枠９の傾斜下端の近傍に、球誘導部により誘導された遊技球を回収可能な球回収口をアウト口４０とは別個に開設し、該球回収口と球排出口３０とを回収流路により連通してもよい。なお、球排出口３０（言い換えると回収流路の下流端）にはシャッター機構を設け、外側開閉枠１０が開状態へ変換するとシャッター機構が球排出口３０を閉成し、外側開閉枠１０が閉状態へ変換するとシャッター機構が球排出口３０を開放して球排出口３０と球貯留皿７２とを連通するように構成する。このような構成を備えて、球誘導部により遊技球を誘導すれば、この遊技球を球回収口から回収流路を通って球排出口３０へ流下することができる。そして、外側開閉枠１０を閉じれば、排出連通路７２を通って球貯留皿７０（球貯留ユニット１３）へ戻すことができる。したがって、遊技領域６からこぼれ落ちた遊技球、言い換えるとまだアウト口４０へ回収されていない遊技球をアウト球として処理せず、発射球として使用することができる。
【００３４】
また、上記実施形態では、内側開閉枠９を下方から支持可能なブロック体で姿勢維持部７７を構成したが、本発明はこれに限定されない。要は、姿勢維持部は、内側開閉枠９の球誘導部をアウト口４０へ向けて下り傾斜した姿勢に維持できればどのようなものでもよい。例えば、内側保持フレーム５０の側部と前面枠本体４の側部とを係合する係合ロッドで姿勢維持部を構成してもよい。
【００３５】
そして、上記した実施形態は、代表的な遊技機であるパチンコ遊技機を例に挙げて説明したが、本発明はこれに限らず、前面枠と、該前面枠に収納され、前面に遊技領域が区画形成された遊技盤と、該遊技盤の下方に配置された画像表示装置とを備え、該画像表示装置には、遊技盤で実行される遊技に関わる画像を表示可能な表示部を前方へ下り傾斜した状態で配置した遊技機であればどのような遊技機でもよい。例えば、封入球式パチンコ機、アレンジボール式遊技機、雀球式遊技機等の遊技機であってもよい。
【００３６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３７】
【図１】パチンコ遊技機の斜視図である。
【図２】外側開閉枠を開いた状態のパチンコ遊技機の斜視図である。
【図３】外側開閉枠および内側開閉枠を開いた状態のパチンコ遊技機の斜視図である。
【図４】内側開閉枠を開いた状態のパチンコ遊技機の断面図である。
【図５】姿勢維持部の説明図であり、（ａ）は内側開閉枠を閉じた状態の説明図、（ｂ）は内側開閉枠を開いた状態の説明図である。
【符号の説明】
【００３８】
１  パチンコ遊技機
３  前面枠
４  前面枠本体
５  遊技盤
６  遊技領域
８  画像表示装置
９  内側開閉枠
９ａ  内側自由端部
１０  外側開閉枠
１０ａ  外側自由端部
１３  球貯留ユニット
１５  棚部
２２  遊技盤収納フレーム
２３  遊技盤載置部
３５  領域区画部材
３８  入賞装置
４０  アウト口
４５  表示部
５０  内側保持フレーム
５１  内側透明部材
５２  内側ヒンジ機構
５４  球誘導部
５７  開閉枠本体
５８  外側透明部材
５９  開閉枠開口
６５  外側ヒンジ機構
７０  球貯留皿
７１  球貯留空間部
７７  姿勢維持部
７７ａ  フレーム当接部
【図１】
2008206813.tif 000003
【図２】
2008206813.tif 000004
【図３】
2008206813.tif 000005
【図４】
2008206813.tif 000006
【図５】
2008206813.tif 000007